【手続補正書】
【提出日】平成20年3月14日(2008.3.14)
【手続補正１】
【補正対象書類名】明細書
【補正対象項目名】特許請求の範囲
【補正方法】変更
【補正の内容】
【特許請求の範囲】
【請求項１】  ホログラフィックステレオグラム画像又はホログラム画像をホログラム用記録媒体に露光記録する画像露光記録装置であって、
上記ホログラム用記録媒体に対してレーザ光を物体光及び参照光として照射して、上記ホログラフィックステレオグラム画像又は上記ホログラム画像を露光記録する露光記録手段と、
上記ホログラム用記録媒体を透過した上記レーザ光の偏光状態を検出する偏光状態検出手段と、
上記ホログラム用記録媒体における記録層上での物体光と参照光との干渉性が最も高くなるように、上記偏光状態検出手段による検出結果に基づいて、上記ホログラム用記録媒体に対して入射させる上記レーザ光の偏光状態を変化させる偏光状態可変手段とを備えること
を特徴とする画像露光記録装置。
【請求項２】  上記偏光状態可変手段は、上記レーザ光の偏光面を回転させて偏光状態を変化させること
を特徴とする請求項１記載の画像露光記録装置。
【請求項３】  上記偏光状態可変手段は、上記レーザ光の偏光面を回転させる半波長板を有すること
を特徴とする請求項２記載の画像露光記録装置。
【請求項４】  上記偏光状態可変手段は、上記偏光状態検出手段による検出結果に基づいて、上記半波長板を回転動作させ、上記レーザ光の偏光面を制御すること
を特徴とする請求項３記載の画像露光記録装置。
【請求項５】  上記偏光状態検出手段は、
上記ホログラム用記録媒体を透過した上記レーザ光のうち、所定の偏光面を有する成分のみを透過する光学素子と、
上記光学素子を透過した上記レーザ光の強度を検出する強度検出手段とを有すること
を特徴とする請求項１記載の画像露光記録装置。
【請求項６】  上記光学素子は、偏光板であり、
上記強度検出手段は、フォトディテクタであること
を特徴とする請求項５記載の画像露光記録装置。
【請求項７】  上記露光記録手段は、上記ホログラム用記録媒体における両主面を被覆する支持材料のうち、少なくとも一方が剥がされた状態で、上記ホログラム用記録媒体に対して上記レーザ光を照射すること
を特徴とする請求項１記載の画像露光記録装置。
【請求項８】  上記偏光状態可変手段は、上記偏光状態検出手段による検出結果に基づいて、上記ホログラム用記録媒体に対して入射させる参照光の偏光状態を変化させること
を特徴とする請求項１記載の画像露光記録装置。
【請求項９】  上記偏光状態検出手段は、上記ホログラム用記録媒体を透過した上記参照光の偏光状態を検出すること
を特徴とする請求項８記載の画像露光記録装置。
【請求項１０】  上記露光記録手段は、上記ホログラム用記録媒体における両主面を被覆する支持材料のうち、物体光が照射される主面を被覆する支持材料が剥がされた状態で、上記ホログラム用記録媒体に対して上記物体光及び上記参照光を照射すること
を特徴とする請求項８記載の画像露光記録装置。
【請求項１１】  上記露光記録手段は、偏光状態が直線偏光とされる上記物体光及び上記参照光を上記ホログラム用記録媒体に対して照射すること
を特徴とする請求項１記載の画像露光記録装置。
【請求項１２】  上記偏光状態可変手段は、上記ホログラム用記録媒体に対して上記物体光及び上記参照光が照射されない状態で、上記レーザ光の偏光状態を変化させること
を特徴とする請求項１記載の画像露光記録装置。
【請求項１３】  上記偏光状態可変手段は、１枚又は複数枚の上記ホログラフィックステレオグラム画像又は上記ホログラム画像の露光記録毎に、上記レーザ光の偏光状態を変化させること
を特徴とする請求項１２記載の画像露光記録装置。
【請求項１４】  上記偏光状態検出手段は、所定枚数の上記ホログラフィックステレオグラム画像又は上記ホログラム画像の露光記録の間、上記レーザ光の偏光状態を検出し、
上記偏光状態可変手段は、上記偏光状態検出手段による検出結果の統計情報に基づいて、上記レーザ光の偏光状態を変化させること
を特徴とする請求項１２記載の画像露光記録装置。
【請求項１５】  上記偏光状態検出手段は、少なくとも１枚以上の上記ホログラフィックステレオグラム画像又は上記ホログラム画像の露光記録の間、上記レーザ光の偏光状態を検出し、
上記偏光状態可変手段は、上記偏光状態検出手段による検出結果が所定の偏光状態から外れたことを示す場合に、上記レーザ光の偏光状態を変化させること
を特徴とする請求項１２記載の画像露光記録装置。
【請求項１６】  上記偏光状態可変手段は、上記ホログラフィックステレオグラム画像を構成する要素ホログラムの露光記録毎に、上記レーザ光の偏光状態を変化させること
を特徴とする請求項１２記載の画像露光記録装置。
【請求項１７】  上記ホログラム用記録媒体における記録層上での物体光と参照光との干渉性が最も高くなるように、上記偏光状態検出手段による検出結果に基づいて、上記ホログラム用記録媒体を回転させる記録媒体回転手段を備えること
を特徴とする請求項１記載の画像露光記録装置。
【請求項１８】  ホログラフィックステレオグラム画像又はホログラム画像をホログラム用記録媒体に露光記録する画像露光記録方法であって、
上記ホログラム用記録媒体に対してレーザ光を物体光及び参照光として照射して、上記ホログラフィックステレオグラム画像又は上記ホログラム画像を露光記録する際に、上記ホログラム用記録媒体を透過した上記レーザ光の偏光状態を検出する偏光状態検出工程と、
上記ホログラム用記録媒体における記録層上での物体光と参照光との干渉性が最も高くなるように、上記偏光状態検出工程における検出結果に基づいて、上記ホログラム用記録媒体に対して入射させる上記レーザ光の偏光状態を変化させる偏光状態可変工程とを備えること
を特徴とする画像露光記録方法。
【請求項１９】  ホログラフィックステレオグラム画像又はホログラム画像をホログラム用記録媒体に露光記録する画像露光記録装置であって、
上記ホログラム用記録媒体に対してレーザ光を物体光及び参照光として照射して、上記ホログラフィックステレオグラム画像又は上記ホログラム画像を露光記録する露光記録手段と、
上記ホログラム用記録媒体を透過した上記レーザ光の偏光状態を検出する偏光状態検出手段と、
上記ホログラム用記録媒体における記録層上での物体光と参照光との干渉性が最も高くなるように、上記偏光状態検出手段による検出結果に基づいて、上記ホログラム用記録媒体を回転させる記録媒体回転手段とを備えること
を特徴とする画像露光記録装置。
【請求項２０】  上記記録媒体回転手段は、上記ホログラム用記録媒体における主面内方向へと、当該ホログラム用記録媒体を回転させること
を特徴とする請求項１９記載の画像露光記録装置。
【請求項２１】  上記偏光状態検出手段は、
上記ホログラム用記録媒体を透過した上記レーザ光のうち、所定の偏光面を有する成分のみを透過する光学素子と、
上記光学素子を透過した上記レーザ光の強度を検出する強度検出手段とを有すること
を特徴とする請求項１９記載の画像露光記録装置。
【請求項２２】  上記露光記録手段は、上記ホログラム用記録媒体における両主面を被覆する支持材料のうち、少なくとも一方が剥がされた状態で、上記ホログラム用記録媒体に対して上記レーザ光を照射すること
を特徴とする請求項１９記載の画像露光記録装置。
【請求項２３】  上記偏光状態検出手段は、上記ホログラム用記録媒体を透過した参照光の偏光状態を検出すること
を特徴とする請求項１９記載の画像露光記録装置。
【請求項２４】  上記露光記録手段は、上記ホログラム用記録媒体における両主面を被覆する支持材料のうち、物体光が照射される主面を被覆する支持材料が剥がされた状態で、上記ホログラム用記録媒体に対して上記物体光及び上記参照光を照射すること
を特徴とする請求項１９記載の画像露光記録装置。
【請求項２５】  上記露光記録手段は、偏光状態が直線偏光とされる上記物体光及び上記参照光を上記ホログラム用記録媒体に対して照射すること
を特徴とする請求項１９記載の画像露光記録装置。
【請求項２６】  上記記録媒体回転手段は、上記ホログラム用記録媒体に対して上記物体光及び上記参照光が照射されない状態で、上記ホログラム用記録媒体を回転させること
を特徴とする請求項１９記載の画像露光記録装置。
【請求項２７】  ホログラフィックステレオグラム画像又はホログラム画像をホログラム用記録媒体に露光記録する画像露光記録方法であって、
上記ホログラム用記録媒体に対してレーザ光を物体光及び参照光として照射して、上記ホログラフィックステレオグラム画像又は上記ホログラム画像を露光記録する際に、上記ホログラム用記録媒体を透過した上記レーザ光の偏光状態を検出する偏光状態検出工程と、
上記ホログラム用記録媒体における記録層上での物体光と参照光との干渉性が最も高くなるように、上記偏光状態検出工程における検出結果に基づいて、上記ホログラム用記録媒体を回転させる記録媒体回転工程とを備えること
を特徴とする画像露光記録方法。
【請求項２８】  ホログラフィックステレオグラム画像又はホログラム画像をホログラム用記録媒体に露光記録する画像露光記録装置であって、
上記ホログラム用記録媒体に対してレーザ光を物体光及び参照光として照射して、上記ホログラフィックステレオグラム画像又は上記ホログラム画像を露光記録する露光記録手段と、
上記ホログラム用記録媒体に対して入射させる上記レーザ光の偏光状態を変化させる偏光状態可変手段とを備え、
上記露光記録手段は、少なくとも１枚以上の上記ホログラフィックステレオグラム画像又は上記ホログラム画像の露光記録毎に、上記ホログラム用記録媒体における記録層上での物体光と参照光との干渉性が最も高くなるような上記レーザ光の偏光状態を決定するための条件出し露光記録として、上記偏光状態可変手段によって偏光状態を変化させた毎の複数の条件出し用のホログラフィックステレオグラム画像又はホログラム画像を露光記録し、
上記偏光状態可変手段は、複数の条件出し用の上記ホログラフィックステレオグラム画像又は上記ホログラム画像に基づいて検出された上記物体光と上記参照光との干渉性が最も高くなるような上記レーザ光の偏光状態が得られるように、上記レーザ光の偏光状態を変化させること
を特徴とする画像露光記録装置。
【請求項２９】  上記偏光状態可変手段は、上記レーザ光の偏光面を回転させる半波長板を有して偏光状態を変化させるものであり、
上記露光記録手段は、上記条件出し露光記録として、上記偏光状態可変手段によって上記半波長板を所定の微小角だけ段階的に回転させるたびに、一の条件出し用の上記ホログラフィックステレオグラム画像又は上記ホログラム画像を露光記録すること
を特徴とする請求項２８記載の画像露光記録装置。
【請求項３０】  上記露光記録手段は、条件出し用の上記ホログラフィックステレオグラム画像又は上記ホログラム画像として、実質的な内容がない無画像に基づくホログラフィックステレオグラム画像又はホログラム画像を露光記録すること
を特徴とする請求項２８記載の画像露光記録装置。
【請求項３１】  上記露光記録手段は、条件出し用の上記ホログラフィックステレオグラム画像又は上記ホログラム画像として、所定本数の要素ホログラムからなるホログラフィックステレオグラム画像又は所定の面積を有する領域からなるホログラム画像を露光記録すること
を特徴とする請求項２８記載の画像露光記録装置。
【請求項３２】  上記露光記録手段は、上記ホログラム用記録媒体における両主面を被覆する支持材料の両者を剥がさない状態で、上記ホログラム用記録媒体に対して上記レーザ光を照射すること
を特徴とする請求項２８記載の画像露光記録装置。
【請求項３３】  ホログラフィックステレオグラム画像又はホログラム画像をホログラム用記録媒体に露光記録する画像露光記録方法であって、
少なくとも１枚以上の上記ホログラフィックステレオグラム画像又は上記ホログラム画像の露光記録毎に、上記ホログラム用記録媒体に対してレーザ光を物体光及び参照光として照射して、上記ホログラム用記録媒体における記録層上での物体光と参照光との干渉性が最も高くなるような上記レーザ光の偏光状態を決定するために、偏光状態を変化させた毎の複数の条件出し用のホログラフィックステレオグラム画像又はホログラム画像を露光記録する条件出し露光記録工程と、
複数の条件出し用の上記ホログラフィックステレオグラム画像又は上記ホログラム画像に基づいて検出された上記物体光と上記参照光との干渉性が最も高くなるような上記レーザ光の偏光状態が得られるように、上記レーザ光の偏光状態を変化させる偏光状態可変工程とを備えること
を特徴とする画像露光記録方法。
【請求項３４】  ホログラフィックステレオグラム画像又はホログラム画像をホログラム用記録媒体に露光記録する画像露光記録装置であって、
上記ホログラム用記録媒体に対してレーザ光を物体光及び参照光として照射して、上記ホログラフィックステレオグラム画像又は上記ホログラム画像を露光記録する露光記録手段と、
上記ホログラム用記録媒体を回転させる記録媒体回転手段とを備え、
上記露光記録手段は、少なくとも１枚以上の上記ホログラフィックステレオグラム画像又は上記ホログラム画像の露光記録毎に、上記ホログラム用記録媒体における記録層上での物体光と参照光との干渉性が最も高くなるような上記レーザ光の偏光状態を決定するための条件出し露光記録として、上記記録媒体回転手段によって上記ホログラム用記録媒体を回転させた毎の複数の条件出し用のホログラフィックステレオグラム画像又はホログラム画像を露光記録し、
上記記録媒体回転手段は、複数の条件出し用の上記ホログラフィックステレオグラム画像又は上記ホログラム画像に基づいて検出された上記物体光と上記参照光との干渉性が最も高くなるような上記レーザ光の偏光状態が得られるように、上記ホログラム用記録媒体を回転させること
を特徴とする画像露光記録装置。
【請求項３５】  上記記録媒体回転手段は、上記ホログラム用記録媒体における主面内方向へと、当該ホログラム用記録媒体を回転させるものであり、
上記露光記録手段は、上記条件出し露光記録として、上記記録媒体回転手段によって上記ホログラム用記録媒体を所定の微小角だけ段階的に回転させるたびに、一の条件出し用の上記ホログラフィックステレオグラム画像又は上記ホログラム画像を露光記録すること
を特徴とする請求項３４記載の画像露光記録装置。
【請求項３６】  上記露光記録手段は、条件出し用の上記ホログラフィックステレオグラム画像又は上記ホログラム画像として、実質的な内容がない無画像に基づくホログラフィックステレオグラム画像又はホログラム画像を露光記録すること
を特徴とする請求項３４記載の画像露光記録装置。
【請求項３７】  上記露光記録手段は、条件出し用の上記ホログラフィックステレオグラム画像又は上記ホログラム画像として、所定本数の要素ホログラムからなるホログラフィックステレオグラム画像又は所定の面積を有する領域からなるホログラム画像を露光記録すること
を特徴とする請求項３４記載の画像露光記録装置。
【請求項３８】  上記露光記録手段は、上記ホログラム用記録媒体における両主面を被覆する支持材料の両者を剥がさない状態で、上記ホログラム用記録媒体に対して上記レーザ光を照射すること
を特徴とする請求項３４記載の画像露光記録装置。
【請求項３９】  ホログラフィックステレオグラム画像又はホログラム画像をホログラム用記録媒体に露光記録する画像露光記録方法であって、
少なくとも１枚以上の上記ホログラフィックステレオグラム画像又は上記ホログラム画像の露光記録毎に、上記ホログラム用記録媒体に対してレーザ光を物体光及び参照光として照射して、上記ホログラム用記録媒体における記録層上での物体光と参照光との干渉性が最も高くなるような上記レーザ光の偏光状態を決定するために、上記ホログラム用記録媒体を回転させた毎の複数の条件出し用のホログラフィックステレオグラム画像又はホログラム画像を露光記録する条件出し露光記録工程と、
複数の条件出し用の上記ホログラフィックステレオグラム画像又は上記ホログラム画像に基づいて検出された上記物体光と上記参照光との干渉性が最も高くなるような上記レーザ光の偏光状態が得られるように、上記ホログラム用記録媒体を回転させる記録媒体回転工程とを備えること
を特徴とする画像露光記録方法。